(57)【要約】      （修正有）【課題】各キーに対応する符号をユーザが探し易くする様々な言語の様々な入力法に利用できるキーボード及びその補助装置を提供する。【解決手段】キーボードの補助装置は、キーボード１のキー１１に対応するように同じ形状を有する多数のキー凸膜２１を有する膜体２を備える。膜体２は、キーボード１上を覆い、キーボード１のキー１１上に印刷された符号が膜体２の膜面により隠されている。膜体２のキー凸膜２１の膜面又はキーボード１のキー１１には、１つの言語の１つの入力法で用いる符号が大きく印刷されている。【選択図】図１
0003160581.tif 000002
【実用新案登録請求の範囲】
【請求項１】
多数のキーを有するキーボードを備え、
前記キーボードの前記キー上のそれぞれに、１つの言語の１つの入力法で用いる符号が大きく印刷されていることを特徴とする、キーボード。  
【請求項２】
前記キー上には、１つの言語の複数の入力法で用いる複数の符号が印刷され、前記複数の符号のうちの１つの符号が大きく印刷されていることを特徴とする、請求項１に記載のキーボード。
【請求項３】
前記キー上には、１つの言語の複数の入力法で用いる複数の符号が印刷され、前記複数の符号のうちの２つ以上の符号が大きく印刷されていることを特徴とする、請求項１に記載のキーボード。
【請求項４】
前記キー上には、英語及び英語以外の１つの言語の複数の入力法で用いる複数の符号が印刷され、英語以外の１つの言語の複数の符号のうちの１つの符号が大きく印刷されていることを特徴とする、請求項１に記載のキーボード。
【請求項５】
キーボードのキーに対応するように同じ形状を有する多数のキー凸膜を有する膜体を備え、
前記膜体は、前記キーボード上を覆い、前記キーボードの前記キー上に印刷された符号が前記膜体の膜面により隠され、
前記膜体の前記キー凸膜の前記膜面には、１つの言語の１つの入力法で用いる符号が大きく印刷されていることを特徴とする、キーボードの補助装置。
【請求項６】
前記キー凸膜の前記膜面には、１つの言語の入力法で用いる複数の符号が印刷され、前記複数の符号のうちの１つの符号が大きく印刷されていることを特徴とする、請求項５に記載のキーボードの補助装置。
【請求項７】
前記キー凸膜の前記膜面には、１つの言語の入力法で用いる複数の符号が印刷され、前記複数の符号のうちの２つ以上の符号が大きく印刷されていることを特徴とする、請求項５に記載のキーボードの補助装置。
【請求項８】
前記キー凸膜の前記膜面には、英語及び英語以外の１つの言語の複数の入力法で用いる符号が印刷され、英語以外の１つの言語の複数の入力法のうちの１つの入力法の符号が大きく印刷されていることを特徴とする、請求項５に記載のキーボードの補助装置。
【請求項９】
前記キーボードの前記膜体には、凸部と、前記キーボードの位置決め凸体の前記キーの形状に対応した前記キー凸膜が設けられていることを特徴とする、請求項５に記載のキーボードの補助装置。
【考案の詳細な説明】
【技術分野】
【０００１】
本考案はキーボードに係り、特に、コンピュータで言語を入力する際、ユーザが各キーに対応した符号の位置を探し易くする、様々な言語の様々な入力法に利用できるキーボード及びその補助装置に関する。
【背景技術】
【０００２】
米国においてコンピュータが発達した関係から、一般に米国以外の国・地域で使用されているほとんどのキーボードのキー上には英文字が印刷されている。しかし、各国で使用されている言語が異なるため、キーボードのキー上には、販売する国・地域に応じて英文字以外に現地で使用されている言語の主要な入力法で用いる符号が印刷されている。現代社会は国家間の人の交流、海外旅行の機会が非常に多くなっており、それに伴い様々な外国語をコンピュータで入力する必要性が生じている。しかし、依然として様々な外国語及びそれらに対応した入力法を設定するのは面倒であり、コンピュータに様々な文字を入力する際、ソフトウェアの設定及びハードウェアの支援が必要である。例えば、最も普及しているマイクロソフト社のオペレーティングシステムであるＷｉｎｄｏｗｓ（登録商標）は、コントロールパネルで地域と言語のオプションを選択してから、所望の言語（例えば、中国語、日本語、韓国語、インドネシア語）を選択し、キーボードレイアウト／入力システムを追加するだけで簡単に設定することができる。しかし、キーボードなどのハードウェアは、ソフトウェアと異なり変更が容易でなく、言語の違いに応じてキーボードのキーに対応した符号が異なるため、この問題を解決する必要がある。もちろん、符号が印刷されたシールを購入してキーボードに貼ってもよいが、各キーに対応した符号の位置を確認する必要がある上、他の言語又は入力法に変換する場合、シールを交換する必要があり、煩雑で実用的でなかった。
【０００３】
また、異なる言語が印刷されたキーボードを購入する方法もあるが、その場合、コストが余計にかかったり、占有空間が無駄となったりする上、国・地域によっては現地での購入が困難なことがある。さらに、ノート型パソコンの場合、キーボードを交換することは非常に困難であり、仕事で旅行する際、異なる言語がキー上に印刷されたキーボードを携行することは非常に面倒である。
【０００４】
大学の外国語学部などの学生が外国語（例えば、ドイツ語、日本語など）を学習したりレポートを作成したりする際、コンピュータのキーボードをドイツ語、日本語などの外国後に変更して中国語を入力する際、キーボードのキーに印刷された符号が異なるため入力が困難となる虞がある。
【０００５】
さらに、ブラインドタッチにより文字を入力することができる文字入力を専門的に行っているタイピスト以外の一般のユーザは、キーボードのキーを多少とも見ながら打つ必要があるため、現地の言語の入力法で用いる符号がキー上に印刷されているキーボードがある。しかし、その場合でも、英語が併記されていることがほとんどであり、英語以外の言語を入力するユーザにとっては不便であることが多かった。
【考案の概要】
【考案が解決しようとする課題】
【０００６】
本考案は上述の点に鑑みて為されたもので、その目的は、従来、オペレーティングシステムで使用する言語の入力法に応じてキーボードを簡単に変更することができないため、オペレーティングシステムの言語を変更すると、キーボードのキー上に印刷された符号を参考にすることができない上、従来のキーボードのキー上には英文字が最も大きく印刷されているため、英文字以外の文字を入力するユーザにとって不便であるという従来の問題を解決することができるキーボード及びその補助装置を提供することにある。
【課題を解決するための手段】
【０００７】
上記課題を解決するために、本考案の第１の形態によれば、多数のキーを有するキーボードを備え、前記キーボードの前記キー上のそれぞれに、１つの言語の１つの入力法で用いる符号が大きく印刷されていることを特徴とする、キーボードが提供される。  
【０００８】
また、前記キー上には、１つの言語の複数の入力法で用いる複数の符号が印刷され、前記複数の符号のうちの１つの符号が大きく印刷されていることが好ましい。
【０００９】
また、前記キー上には、１つの言語の複数の入力法で用いる複数の符号が印刷され、前記複数の符号のうちの２つ以上の符号が大きく印刷されていることが好ましい。
【００１０】
また、前記キー上には、英語及び英語以外の１つの言語の複数の入力法で用いる複数の符号が印刷され、英語以外の１つの言語の複数の符号のうちの１つの符号が大きく印刷されていることが好ましい。
【００１１】
本考案の第２の形態によれば、キーボードのキーに対応するように同じ形状を有する多数のキー凸膜を有する膜体を備え、前記膜体は、前記キーボード上を覆い、前記キーボードの前記キー上に印刷された符号が前記膜体の膜面により隠され、前記膜体の前記キー凸膜の前記膜面には、１つの言語の１つの入力法で用いる符号が大きく印刷されていることを特徴とする、キーボードの補助装置が提供される。
【００１２】
また、前記キー凸膜の前記膜面には、１つの言語の入力法で用いる複数の符号が印刷され、前記複数の符号のうちの１つの符号が大きく印刷されていることが好ましい。
【００１３】
また、前記キー凸膜の前記膜面には、１つの言語の入力法で用いる複数の符号が印刷され、前記複数の符号のうちの２つ以上の符号が大きく印刷されていることが好ましい。
【００１４】
また、前記キー凸膜の前記膜面には、英語及び英語以外の１つの言語の複数の入力法で用いる符号が印刷され、英語以外の１つの言語の複数の入力法のうちの１つの入力法の符号が大きく印刷されていることが好ましい。
【００１５】
また、前記キーボードの前記膜体には、凸部を有し、位置決め凸体の前記キーの形状に対応した前記キー凸膜が設けられていることが好ましい。
【考案の効果】
【００１６】
本考案のキーボード及びその補助装置は、従来、オペレーティングシステムで使用する言語の入力法に応じてキーボードを簡単に変更することができないため、オペレーティングシステムの言語を変更すると、キーボードのキー上に印刷された符号を参考にすることができない上、従来のキーボードのキー上には英文字が最も大きく印刷されているため、英文字以外の文字を入力するユーザにとって不便であるという従来の問題を解決することができる。
【図面の簡単な説明】
【００１７】
【図１】本考案の一実施形態によるキーボード及びその補助装置を示す斜視図である。
【図２】本考案の一実施形態によるキーをキー凸膜で覆ったときのキーボードを示す斜視図である。
【図３】本考案の一実施形態による注音入力法で用いる符号が大きく印刷されたキーボードを示す模式図である。
【図４】本考案の一実施形態による倉頡入力法で用いる符号が大きく印刷されたキーボードを示す模式図である。
【図５】本考案の一実施形態による大易入力法で用いる符号が大きく印刷されたキーボードを示す模式図である。
【図６】本考案の一実施形態による日本語を入力することができる状態のキーボードを示す模式図である。
【図７】本考案の一実施形態による韓国語を入力することができる状態のキーボードを示す模式図である。
【図８】本考案の一実施形態によるヒンディー語を入力することができる状態のキーボードを示す模式図である。
【図９】本考案の一実施形態による英語を入力することができる状態のキーボードを示す模式図である。
【図１０】本考案の一実施形態によるロシア語を入力することができる状態のキーボードを示す模式図である。
【図１１】本考案の一実施形態による台湾で主に使用されている注音入力法、倉頡入力法及び大易入力法で用いる符号がキー上に印刷されている状態のキーボードを示す模式図である。
【図１２】本考案の一実施形態による倉頡入力法の符号が大きく印刷された状態のキーボードを示す模式図である。
【図１３】本考案の一実施形態による大易入力法の符号が大きく印刷された状態のキーボードを示す模式図である。
【考案を実施するための形態】
【００１８】
以下、本考案の実施形態について図に基づいて説明する。なお、これによって本考案が限定されるものではない。
【００１９】
図１を参照する。図１に示すように、本考案の一実施形態に係るキーボード及びその補助装置は、キーボード１及び膜体２を含む。キーボード１は、上面に符号が印刷された多数のキー１１を有する。膜体２は、上述のキーボード１のキー１１に対応したキー凸膜２１を多数有する。
【００２０】
膜体２は、キーボード１上を覆う。対応したキーボード１のキー１１は、キー１１上に印刷された符号が膜体２の膜面により覆われて隠される。
【００２１】
また、膜体２は、キーボード１の位置決め凸体１１１のキー１１の形状に対応するように形成されたキー凸膜２１（Ｆキー、Ｊキーを含む）と、凸部２１１とを有する。図２は、本実施形態のキー１１をキー凸膜２１で覆ったときの状態を示す斜視図である。
【００２２】
各キーボード１のキー１１及び膜体２のキー凸膜２１のそれぞれには、１つの言語の入力法で用いる１つの符号が大きく印刷されたり、１つの言語の複数の入力法で用いる符号のうちの１つだけの符号が大きく印刷されたり、１つの言語の複数の入力法で用いる複数の符号が印刷されたり、１つ以上の入力法で用いる符号が大きく印刷されたりしてもよい。
【００２３】
本実施形態はキーボード１と膜体２とを組み合わせて使用することにより、各言語に応じて異なる入力法の符号を変更することができる。コンピュータで使用する言語又は入力法の設定を変更する際、ユーザは、キーボードのキーに印刷された言語及びその入力法の符号が容易に分かる。これにより、キーボード１のキー１１には、現地でよく用いられる入力法の符号が印刷されている。さらに、その他の入力法又はその他の言語の入力法で用いる符号が膜体２に印刷されている。例えば、キーボードを台湾で使用する際、各キー凸膜２１の膜面には、台湾で主に使用されている言語である中国語の繁体字の主な入力法（例えば、注音入力法、倉頡入力法、大易入力法など）で用いる符号が印刷され、１つの言語の１つの入力法の符号が大きく印刷されていてもよい。以下、図３〜図１３に基づきキーボードを説明する。図３は、本実施形態のキーボード及びその補助装置に、注音入力法で用いる符号が大きく印刷されているときの状態を示す模式図である。キーボード１のキー１１に印刷されている符号を倉頡入力法などの他の入力法で用いる符号に変更する場合、倉頡入力法で用いる符号が印刷された膜体２をキーボード１に迅速に覆うと、同じキーボード１を用いて倉頡入力法に適用する状態へ直ちに変換することができる。図４は、倉頡入力法で用いる符号が大きく印刷された状態を示す模式図である。図５は、大易入力法で用いる符号が大きく印刷された状態を示す模式図である。
【００２４】
膜体２のキー凸膜２１の膜面には、キーボード１のキー１１に印刷した言語又は入力法以外の他の言語（例えば、日本語、韓国語、ヒンディー語、英語など）の異なる入力法で用いる符号が印刷されていてもよい。これにより、本実施形態の膜体２でキーボード１上を覆い、オペレーティングシステムの設定で使用言語を変更するだけで、所望の言語をキーボード１で入力することができるようになる。図６は、日本語を入力することができる状態のキーボードを示す模式図である。図７は、韓国語を入力することができる状態のキーボードを示す模式図である。図８は、ヒンディー語を入力することができる状態のキーボードを示す模式図である。図９は、英語を入力することができる状態のキーボードを示す模式図である。図１０は、ロシア語を入力することができる状態のキーボードを示す模式図である。
【００２５】
本実施形態の応用例では、各キーボード１のキー１１及び膜体２のキー凸膜２１の膜面に、英語及び英語以外の言語の複数の入力法で用いる符号が大きく印刷されている。英語以外の言語の複数の入力法で用いる符号には、例えば、図１１に示すように、台湾で主に使用されている注音入力法、倉頡入力法及び大易入力法で用いる符号がキーボード１のキー１１上に印刷されている。このキーボード１には注音符号が大きく印刷されているため、注音入力法に慣れているユーザは、このキーボード１をそのまま使用したり、キーボード１上を膜体２で覆って使用したりすることにより、英語以外の言語の入力法で用いる符号を探し易くしたりすることができる。そのため、本実施形態は、英文字が最も大きく表示されている従来のキーボードより使い易い。
【００２６】
倉頡入力法を用いるユーザは、倉頡入力法の符号を容易に見つけて使用することができるように、図１２に示すような倉頡入力法の符号が大きく印刷されたキーボード１を使用したり、倉頡入力法で用いる符号が上に印刷された膜体２でキーボード１上を覆って使用したりすることができる。
【００２７】
大易入力法を用いるユーザは、大易入力法の符号を容易に見つけ出して使用することができるように、図１３に示すような大易入力法の符号が大きく印刷されたキーボード１を使用したり、大易入力法の符号が上に印刷された膜体２でキーボード１上を覆って使用したりすることができる。
【００２８】
本実施形態は、ユーザが使い慣れた言語の入力法で用いる符号を使用することができる上、視力が低い者でも入力し易く、複数の外国語を入力する必要がある者（例えば、国際的に活躍するビジネスマン、外国語を学ぶ学生など）がキーボードで用いる入力法をスピーディに変換して使用することができるようにする。言語又は入力法は、膜体２を交換することにより容易に変更することができる。また、膜体２は、工業的に大量生産することが可能であり、軽量かつ薄型、携帯の利便性が高く、コストが低いため、普及し易く、コンピュータを使用する者が使用したり携帯したりするのに便利である。例えば、高級なホテルなどの客室に、宿泊客の様々な言語に対する要求を満足させるために、英語、フランス語、ドイツ語、日本語、韓国語、ヒンディー語、ロシア語などの様々な文字が印刷されたキーボード１及び膜体２を設置して使用することができるようにする。
【００２９】
また本実施形態の膜体２は、キーボードの防塵機能を兼ね備えている。
【００３０】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００３１】
１      キーボード
２      膜体
１１    キー
２１    キー凸膜
１１１  位置決め凸体
２１１  凸部
【図１】
0003160581.tif 000003
【図２】
0003160581.tif 000004
【図３】
0003160581.tif 000005
【図４】
0003160581.tif 000006
【図５】
0003160581.tif 000007
【図６】
0003160581.tif 000008
【図７】
0003160581.tif 000009
【図８】
0003160581.tif 000010
【図９】
0003160581.tif 000011
【図１０】
0003160581.tif 000012
【図１１】
0003160581.tif 000013
【図１２】
0003160581.tif 000014
【図１３】
0003160581.tif 000015
【手続補正書】
【提出日】平成22年4月27日(2010.4.27)
【手続補正１】
【補正対象書類名】実用新案登録請求の範囲
【補正対象項目名】全文
【補正方法】変更
【補正の内容】
【実用新案登録請求の範囲】
【請求項１】
多数のキーを有するキーボードであって、
前記キーボードの前記キー上のそれぞれに、１つの言語の１つの入力法で用いる符号が大きく印刷されていることを特徴とする、キーボード。  
【請求項２】
前記キー上には、１つの言語の複数の入力法で用いる複数の符号が印刷され、前記複数の符号のうちの１つの符号が大きく印刷されていることを特徴とする、請求項１に記載のキーボード。
【請求項３】
前記キー上には、１つの言語の複数の入力法で用いる複数の符号が印刷され、前記複数の符号のうちの２つ以上の符号が大きく印刷されていることを特徴とする、請求項１に記載のキーボード。
【請求項４】
前記キー上には、英語及び英語以外の１つの言語の複数の入力法で用いる複数の符号が印刷され、英語以外の１つの言語の複数の符号のうちの１つの符号が大きく印刷されていることを特徴とする、請求項１に記載のキーボード。
【請求項５】
キーボードのキーに対応するように同じ形状を有する多数のキー凸膜を有する膜体を備え、
前記膜体は、前記キーボード上を覆い、前記キーボードの前記キー上に印刷された符号が前記膜体の膜面により隠され、
前記膜体の前記キー凸膜の前記膜面には、１つの言語の１つの入力法で用いる符号が大きく印刷されていることを特徴とする、キーボードの補助装置。
【請求項６】
前記キー凸膜の前記膜面には、１つの言語の入力法で用いる複数の符号が印刷され、前記複数の符号のうちの１つの符号が大きく印刷されていることを特徴とする、請求項５に記載のキーボードの補助装置。
【請求項７】
前記キー凸膜の前記膜面には、１つの言語の入力法で用いる複数の符号が印刷され、前記複数の符号のうちの２つ以上の符号が大きく印刷されていることを特徴とする、請求項５に記載のキーボードの補助装置。
【請求項８】
前記キー凸膜の前記膜面には、英語及び英語以外の１つの言語の複数の入力法で用いる符号が印刷され、英語以外の１つの言語の複数の入力法のうちの１つの入力法の符号が大きく印刷されていることを特徴とする、請求項５に記載のキーボードの補助装置。
【請求項９】
前記キーボードの前記膜体には、凸部と、前記キーボードの位置決め凸体の前記キーの形状に対応した前記キー凸膜が設けられていることを特徴とする、請求項５に記載のキーボードの補助装置。
【手続補正２】
【補正対象書類名】明細書
【補正対象項目名】０００７
【補正方法】変更
【補正の内容】
【０００７】
上記課題を解決するために、本考案の第１の形態によれば、多数のキーを有するキーボードであって、前記キーボードの前記キー上のそれぞれに、１つの言語の１つの入力法で用いる符号が大きく印刷されていることを特徴とする、キーボードが提供される。